(57)【要約】【課題】トイレを掃除するタイミングをユーザに知らせることができるトイレシステムを提供する。【解決手段】トイレ装置と携帯情報端末とが無線接続されるトイレシステムであって、前記トイレ装置は、自装置の清掃が必要であることをユーザに通知する条件が成立しか否かを判定し、前記条件が成立した場合には、当該トイレ装置の清掃が必要であることを前記携帯情報端末に無線で送信する。【選択図】図１
2017089206.tif 000002
【特許請求の範囲】
【請求項１】
トイレ装置と携帯情報端末とが無線接続されるトイレシステムであって、
前記トイレ装置は、自装置の清掃が必要であることをユーザに通知する条件が成立したか否かを判定し、前記条件が成立した場合には、当該トイレ装置の清掃が必要であることを前記携帯情報端末に無線で送信するトイレシステム。
【請求項２】
前記トイレ装置は、便器洗浄が実行された回数、前記トイレ装置に着座された回数、及び臀部洗浄が実行された回数の少なくともいずれか１つの回数が閾値に達した場合に、前記条件が成立したと判定する請求項１に記載のトイレシステム。
【請求項３】
前記携帯情報端末は、前記トイレ装置の清掃が必要であることが前記トイレ装置から送信された場合に、自装置に備えられた表示画面にトイレ装置の掃除を促すメッセージを表示する請求項１又は請求項２に記載のトイレシステム。
【発明の詳細な説明】
【技術分野】
【０００１】
本発明は、トイレシステムに関する。
【背景技術】
【０００２】
現在、便器に設置されたスイッチを操作することにより温水（洗浄水）の噴出し、噴射した温水で人体臀部を洗浄する便座装置がある。このスイッチは、便座に設置された便座装置本体に設けられたり、便座装置本体とは別体のリモコンに設けられている。
【０００３】
人体臀部の洗浄が行われているときには、人体臀部に当たって跳ね返ってきた洗浄後の汚染水等が、便器本体や温水を噴射するノズルに付着する場合がある。また、大便時の汚物の付着等により便器自体が汚れてしまう場合もある。したがって、ユーザは便器本体やノズルを拭き掃除する必要がある。
【先行技術文献】
【特許文献】
【０００４】
【特許文献１】特許第５７１９７１３号公報
【発明の概要】
【発明が解決しようとする課題】
【０００５】
しかしながら、ユーザは、トイレを掃除するタイミングが分からないため、適切なタイミングでトイレを掃除することができない場合がある。
【０００６】
本発明は、このような事情に鑑みてなされたもので、その目的は、トイレを掃除するタイミングをユーザに知らせることができるトイレシステムを提供することである。
【課題を解決するための手段】
【０００７】
本発明の一態様は、トイレ装置と携帯情報端末とが無線接続されるトイレシステムであって、前記トイレ装置は、自装置の清掃が必要であることをユーザに通知する条件が成立したか否かを判定し、前記条件が成立した場合には、当該トイレ装置の清掃が必要であることを前記携帯情報端末に無線で送信するトイレシステムである。
【０００８】
また、本発明の一態様は、上述のトイレシステムであって、前記トイレ装置は、便器洗浄が実行された回数、前記トイレ装置に着座された回数、及び臀部洗浄が実行された回数の少なくともいずれか１つの回数が閾値に達した場合に、前記条件が成立したと判定する。
【０００９】
また、本発明の一態様は、上述のトイレシステムであって、前記携帯情報端末は、前記トイレ装置の清掃が必要であることが前記トイレ装置から送信された場合に、自装置に備えられた表示画面にトイレ装置の掃除を促すメッセージを表示する。
【発明の効果】
【００１０】
以上説明したように、本発明によれば、トイレを掃除するタイミングをユーザに知らせることができるトイレシステムを提供することができる。
【図面の簡単な説明】
【００１１】
【図１】本実施形態におけるトイレシステム１の概略構成の一例を示す図である。
【図２】本実施形態における便座ボックス１４の概略構成の一例を示す図である。
【図３】本実施形態におけるシャワー装置１９及びビデ装置２０の概略構成の一例を示す図である。
【図４】本実施形態における制御装置１５の掃除タイミング決定処理の概略構成の一例を示す図である。
【図５】本実施形態における表示画面１００に表示する清掃催促メッセージの一例を示す図である。
【図６】本実施形態における表示画面１００に表示する便座装置３の掃除を実行した履歴情報の一例を示す図である。
【図７】本実施形態における携帯情報端末１０の規定使用回数Ｎｔｈを設定する表示画面１００を示す図である。
【図８】本実施形態における制御部１５１の動作の流れを示すフローチャート図である。
【図９】本実施形態における携帯情報端末１０の動作の流れを示すフローチャート図である。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。
【００１３】
実施形態におけるトイレシステムは、トイレ装置と携帯情報端末とが無線接続されるトイレシステムである。トイレ装置は、自装置の清掃が必要であることをユーザに通知する条件が成立したか否かを判定し、条件が成立した場合には、当該トイレ装置の清掃が必要であることを携帯情報端末に無線で送信する。これにより、トイレシステムは、トイレ装置を掃除するタイミングをユーザに知らせることができる。
以下、実施形態のトイレシステムを、図面を用いて説明する。
【００１４】
図１は、本実施形態におけるトイレルームの概略構成の一例を示す図である。図１において、トイレシステム１は、トイレ装置２、リモコン８及び携帯情報端末１０を備える。
【００１５】
トイレ装置２は、便座装置３及び便器本体４を備える。本実施形態において、トイレ装置２は、便座装置３及び便器本体４を備えるが、これに限定されない。例えば、トイレ装置２は、便座装置３及び便器本体４のいずれかであってもよい。
便座装置３は、トイレルーム内に設けられた便器本体４上に設置されている。便座装置３は、便座ボックス１４、便蓋５及び便座６を備える。
便座ボックス１４は、便器本体４の後部に設置されている。
便蓋５及び便座６は、便座ボックス１４に上下方向回動可能に支持されている。
図２は、本実施形態における便座ボックス１４の概略構成の一例を示す図である。
便座ボックス１４は、第１人体検知センサ７、第２人体検知センサ９、着座センサ１１、受信部１２、送信部１３、制御装置１５、人体臀部洗浄用のシャワー装置１９、ビデ装置２０、便座ボックス昇降装置２５、ノズル前後進装置２６、フラッシュ装置２７及び吐泡装置２８を備える。
【００１６】
第１人体検知センサ７は、便座ボックス１４の上面前縁部に設けられている。第１人体検知センサ７は、便蓋５及び便座６の双方が倒伏した状態（図１）において、便器本体４前方の人体を検知する。第１人体検知センサ７は、便器本体４前方の人体を検知した場合に、便器本体４前方の人体を検知したことを示す信号を制御装置１５に出力する。
第２人体検知センサ９は、便座ボックス１４の前面の左右方向の中央の下部に設けられている。第２人体検知センサ９は、便蓋５及び便座６の双方が起立した状態において、便器本体４前方の人体を検知する。第２人体検知センサ９は、便器本体４前方の人体を検知した場合に、便器本体４前方の人体を検知したことを示す信号を制御装置１５に出力する。
【００１７】
着座センサ１１は、ユーザＰ（図１）の便座６への着座を検知する。着座センサ１１は、ユーザＰ便座６への着座を検知すると、着座検知信号を制御装置１５に出力する。
受信部１２は、リモコン８及び携帯情報端末１０からの無線信号を受信する。受信部１２は、リモコン８及び携帯情報端末１０から受信した無線信号を制御装置１５に出力する。
送信部１３は、制御装置１５から供給された情報を携帯情報端末１０に無線送信する。
【００１８】
シャワー装置１９及びビデ装置２０は、それぞれ制御装置１５から供給される第１洗浄信号に基づいてノズル３３の先端から温水を噴出する。これにより、シャワー装置１９及びビデ装置２０は、便座６に着座しているユーザＰの臀部を洗浄する。以下、便座６に着座しているユーザＰの臀部の洗浄を臀部洗浄と称する場合がある。
【００１９】
図３は、本実施形態におけるシャワー装置１９及びビデ装置２０の概略構成の一例を示す図である。図３に示すように、シャワー装置１９及びビデ装置２０は、水が開閉用メインバルブ２９、流量調整バルブ３０、ヒータ３１を介してシリンダ３２に供給され、ノズル３３の先端から温水が噴出するよう構成されている。ノズル３３はノズル前後進装置２６によって進退が行われる。シリンダ３２には前後位置調節装置３４が設けられており、シリンダ３２の前後位置を調節することによりシャワーやビデの洗浄位置を調節することができる。
【００２０】
便座ボックス昇降装置２５は、制御装置１５から供給される制御信号に基づいて便座ボックス１４を図１の矢印Ｈのように垂直方向に昇降させる。例えば、ユーザＰが便器本体４の掃除（例えば、便器本体４と便座ボックス１４との間の掃除）を実施する際に、リモコン８又は携帯情報端末１０から所定の操作を行うことにより、便座ボックス１４を上昇させることができる。以下、便座ボックス１４を上昇させる動作をリフトアップ動作と称する場合がある。
【００２１】
ノズル前後進装置２６は、制御装置１５から供給される駆動信号に基づいてノズル３３を前進及び後退させる。例えば、ユーザＰがノズル３３の掃除を実施する際に、リモコン８又は携帯情報端末１０から所定の操作を行うことにより、温水を噴出させることなくノズル３３を前進させることができる。
【００２２】
フラッシュ装置２７は、制御装置１５から供給される第２洗浄信号に基づいて便器本体４の便鉢に水を流す。これにより、便器本体４の便鉢内を洗浄することができる。以下に、便器本体４の便鉢の洗浄を便器洗浄と称する場合がある。
吐泡装置２８は、制御装置１５から供給される吐泡洗浄信号に基づいて便器本体４内に、洗浄又は殺菌作用を備える泡を吐出する。これにより、便器本体４内を洗浄又はすることができる。以下の説明において、泡を便器本体内４に吐出することで、便器本体４内を洗浄又は殺菌することを泡洗浄と称する。また、吐泡装置２８は、便器本体４内の溜め水の水面上に泡の層を作る。これにより、排泄物の着水時のはね返り水が、泡の層によって便器本体４外への飛び散りを防ぐことができる。
【００２３】
制御装置１５は、リモコン８や携帯情報端末１０から供給される無線信号に基づいて自装置に接続されている各装置を制御する。例えば、制御装置１５は、リモコン８や携帯情報端末１０から便器洗浄を指示する便器洗浄信号が供給された場合、フラッシュ装置２７に第２洗浄信号を供給する。制御装置１５は、リモコン８や携帯情報端末１０から臀部洗浄を指示する臀部洗浄信号が供給された場合、シャワー装置１９又はビデ装置２０に第１洗浄信号を供給する。例えば、制御装置１５は、リモコン８や携帯情報端末１０から便器本体４内の泡洗浄を指示する洗浄信号が供給された場合、吐泡装置２８に吐泡洗浄信号を供給する。制御装置１５は、リモコン８や携帯情報端末１０からリフトアップ動作を指示するリフトアップ信号が供給された場合、便座ボックス昇降装置２５に制御信号を供給する。制御装置１５は、リモコン８や携帯情報端末１０からノズル３３の前進を指示するノズル駆動信号が供給された場合、ノズル前後進装置２６に駆動信号を供給する。
【００２４】
制御部１５１は、掃除動作を実行した場合に、掃除動作を実行したことを示す情報を携帯情報端末１０に送信部１３を介して無線送信する。例えば、掃除動作は、便座ボックス昇降装置２５による便座ボックス１４のリフトアップ動作、ノズル前後進装置２６によるノズル３３の前進動作、吐泡装置２８による便器本体４内の泡洗浄処理である。したがって、制御部１５１は、便座ボックス１４のリフトアップ動作を実行した場合に、リフトアップ動作を実行したことを示す情報を携帯情報端末１０に送信部１３を介して無線送信する。制御部１５１は、ノズル前後進装置２６によるノズル３３の前進動作を実行した場合に、ノズル３３の前進動作を実行したことを示す情報を携帯情報端末１０に送信部１３を介して無線送信する。制御部１５１は、吐泡装置２８による便器本体４内の泡洗浄処理を実行した場合に、泡洗浄処理を実行したことを示す情報を携帯情報端末１０に送信部１３を介して無線送信する。
【００２５】
制御装置１５は、便座装置３の清掃が必要であることをユーザＰに通知する条件が成立した場合、携帯情報端末１０に通知することで便座装置３を掃除するタイミングをユーザＰに知らせる。具体的には、制御装置１５は、ユーザＰが便座装置３を使用した回数である使用回数（以下、単に「便座装置３の使用回数」という。）に基づいて便座装置３を掃除するタイミングを決定する。制御装置１５は、決定した便座装置３を掃除するタイミングを示す信号を送信部１３を介して携帯情報端末１０に無線送信する。例えば、便座装置３の掃除とは、便器本体４の掃除、ノズル３３の掃除、及び便器本体４内の泡洗浄である。例えば、便座装置３の使用回数は、便器洗浄を実行した回数、着座した回数、及び臀部洗浄を実行した回数である。着座した回数とは、着座検知信号を取得した回数である。このように、制御装置１５は、便器洗浄の実行、着座検知信号の取得及び臀部洗浄の実行の少なくとも１つの処理が実行された場合に、ユーザＰが便座装置３を使用したと判定する。本実施形態では、便座装置３の使用回数が、便器洗浄を実行した回数、着座した回数、及び臀部洗浄を実行した回数である場合について説明する。以下に、本実施形態における制御装置１５の便器本体４を掃除するタイミングを決定する掃除タイミング決定処理について、具体的に説明する。
【００２６】
図４は、本実施形態における制御装置１５の掃除タイミング決定処理の概略構成の一例を示す図である。
図４に示すように、制御装置１５は、制御部１５１、記憶部１５２、カウンタ１５３を備える。カウンタ１５３は、第１カウンタ１５４、第２カウンタ１５５及び第３カウンタ１５６を備える。
制御部１５１は、リモコン８や携帯情報端末１０から供給される便器洗浄信号に基づいてフラッシュ装置２７に第２洗浄信号を供給した場合、すなわち便器洗浄を実行した場合、第１カウンタ１５４のカウント値Ｎ１をインクリメントする。制御部１５１は、リモコン８や携帯情報端末１０から供給される臀部洗浄信号に基づいてシャワー装置１９又はビデ装置２０に第１洗浄信号を供給した場合、すなわち臀部洗浄を実行した場合、第２カウンタ１５５のカウント値Ｎ２をインクリメントする。制御部１５１は、着座センサ１１から着座検知信号が供給された場合、第３カウンタ１５６のカウント値Ｎ３をインクリメントする。
【００２７】
また、制御部１５１は、ユーザＰが便座装置３を掃除したか否かを判定する。制御部１５１は、掃除動作を実行した場合に、ユーザＰが便座装置３を掃除したと判定する。制御部１５１は、ユーザＰが便座装置３を掃除したと判定した場合に、カウンタ１５３のカウント値Ｎを初期化する。具体的には、ユーザＰにより便座装置３が掃除されたと判定される場合とは、ノズル３３を伸ばす動作をした場合、リフトアップ動作をした場合及び泡洗浄処理の動作をした場合の少なくともいずれか１つの動作を制御部１５１が検知した場合である。
例えば、制御部１５１は、ユーザＰが便座装置３を掃除したと判定した場合に、カウンタ１５３のカウント値を０にリセットする。なお、リセットするカウント値は、カウント値Ｎ１、Ｎ２、Ｎ３のすべてのカウント値でもよいし、カウント値Ｎ１、Ｎ２、Ｎ３の中の少なくとも１つのカウント値でもよい。すなわち、制御部１５１は、複数の掃除動作の中から実行した掃除動作に応じて、０にリセットするカウント値Ｎをカウント値Ｎ１、Ｎ２、Ｎ３の中から選択し、選択したカウント値を０にリセットしてもよい。例えば、掃除動作としてノズル３３の前進動作が実行された場合、制御部１５１は、カウント値Ｎ２を０にリセットする。
【００２８】
制御部１５１は、ユーザＰが便座装置３を使用したと判定した場合に、カウンタ１５３のカウント値Ｎが規定使用回数（閾値）Ｎｔｈに達したか否を判定する。制御部１５１は、カウンタ１５３のカウント値Ｎが規定使用回数Ｎｔｈに達したと判定した場合に、カウンタ１５３のカウント値Ｎが規定使用回数Ｎｔｈに達したことを示す情報を携帯情報端末１０に無線送信する。例えば、カウント値Ｎ１、Ｎ２、Ｎ３のそれぞれに対して異なる規定使用回数が設定されていてもよいし、カウント値Ｎ１、Ｎ２、Ｎ３に対して同一の規定使用回数が設定されていてもよい。規定使用回数Ｎｔｈは、予め記憶部１５２に記憶されている。
【００２９】
リモコン８は、トイレルームの壁面に設置されている。リモコン８は、便座ボックス１４と無線通信する。リモコン８は、臀部洗浄、便器洗浄やリフトアップ動作等といった便座装置３のさまざまな機能を実行させる際に使用される。すなわち、リモコン８には、便座装置３の各機能に対応するスイッチが複数設けられており、ユーザＰは、所望の機能に対応したスイッチを操作することで、所望の機能を実行させることができる。例えば、リモコン８には、シャワースイッチ、ビデ洗浄用操作スイッチ、臀部洗浄を停止させるストップスイッチ等が設置されている。また、リモコン８には、ノズル３３を前進させるスイッチ、便座ボックス１４を上昇させるスイッチ、便器本体４の便鉢に多量の水を流す大洗浄用スイッチ、及び便鉢に少量の水を流す小洗浄用スイッチが設けられている。リモコン８は、シャワースイッチ、ビデ洗浄用操作スイッチが操作された場合、臀部洗浄信号を便座ボックス１４に無線送信する。リモコン８は、大洗浄用スイッチ、小洗浄用スイッチが操作された場合、便器洗浄信号を便座ボックス１４に無線送信する。リモコン８は、ノズル３３を前進させるスイッチが操作された場合、ノズル駆動信号を便座ボックス１４に無線送信する。リモコン８は、便座ボックス１４を上昇させるスイッチが操作された場合、リフトアップ信号を便座ボックス１４に無線送信する。
【００３０】
トイレルームのユーザＰは携帯情報端末１０を所持しており、携帯情報端末１０によっても便座装置３の各機能を実行させることができる。すなわち、トイレルームのユーザＰはリモコン８又は携帯情報端末１０を用いて便座装置３各機能を実行させることができる。例えば、携帯情報端末１０は、携帯電話（スマートフォンを含む）、ノートパソコン、タブレット端末である。
【００３１】
携帯情報端末１０と便座装置３とはＢｌｕｅｔｏｏｔｈ（登録商標）などの簡易無線通信システムによって相互通信するよう構成されている。携帯情報端末１０には、タッチパネル式の表示画面１００が設けられている。例えば、携帯情報端末１０には、所定のアプリケーションがインストールされており、ユーザＰは、そのアプリケーションを実行することにより臀部洗浄、便器洗浄やリフトアップ動作等といった便座装置３の各機能を実行させることができる。
【００３２】
また、携帯情報端末１０は、自装置にインストールされたアプリケーションを実行することにより、便座装置３の掃除を促すメッセージ（以下、「清掃催促メッセージ」という。）を表示画面１００に表示する。例えば、携帯情報端末１０は、制御部１５１からカウント値Ｎが規定使用回数Ｎｔｈに達したことを示す情報が供給された場合、予め設定された清掃催促メッセージを表示画面１００に表示する。図５は、本実施形態における表示画面１００に表示する清掃催促メッセージの一例を示す図である。図５に示すように、例えば、清掃催促メッセージは、「前回のお掃除からＮｔｈ回使用しました。ノズル清掃を行うことをおすすめします。」である。
【００３３】
また、携帯情報端末１０は、自装置にインストールされたアプリケーションを実行することにより、便座装置３の掃除を実行した履歴情報を、自装置に備えられた記憶部（不図示）に保存するとともに表示画面１００に表示する。例えば、便座装置３の掃除を実行した履歴情報は、便座装置３の掃除を実行した日時や便座装置３が実行した掃除動作の種類である。例えば、携帯情報端末１０は、制御部１５１から掃除動作を実行したことを示す情報が供給された場合、予め設定された画像（例えば、アイコン）を掃除動作を実行したことを示す情報を取得した日に対応させて、カレンダー表示する。なお、日にちや現在時刻は、通常の携帯情報端末１０に標準的に装備された図示省略するカレンダー機能及び時計機能によって取得してもよいし、携帯情報端末１０が通信可能なサーバから取得してもよい。図６は、本実施形態における表示画面１００に表示する便座装置３の掃除を実行した履歴情報の一例を示す図である。図６に示すように、例えば、携帯情報端末１０は、リフトアップ動作を実行したことを示す情報が制御部１５１から供給された場合、便器本体４の掃除を示す画像１３０をリフトアップ動作を実行したことを示す情報が供給された日に対応させて、カレンダー表示する。携帯情報端末１０は、ノズル３３の前進動作を実行したことを示す情報が制御部１５１から供給された場合、ノズル３３の掃除を示す画像１２０をノズル３３の前進動作を実行したことを示す情報が供給された日に対応させて、カレンダー表示する。携帯情報端末１０は、泡洗浄処理を実行したことを示す情報が制御部１５１から供給された場合、便器本体４内の泡洗浄を示す画像１１０を、泡洗浄処理を実行したことを示す情報が供給された日に対応させて、カレンダー表示する。
【００３４】
これにより、ユーザＰは携帯情報端末１０の表示画面１００に表示された便座装置３の掃除を実行した履歴情報を確認することで便座装置３を清掃した日を即座に把握することができる。また、ユーザＰは、過去に便座装置３を掃除した日を確認することができるため、普段の便座装置の掃除頻度や次回の便座装置の清掃時期の目安を把握できる。
【００３５】
また、携帯情報端末１０は、自装置にインストールされたアプリケーションを実行することにより、規定使用回数Ｎｔｈを任意の値に変更させることができる。図７は、本実施形態における携帯情報端末１０の規定使用回数Ｎｔｈを設定する表示画面１００を示す図である。ユーザＰは、携帯情報端末１０にインストールされたアプリケーションを携帯情報端末１０に実行させることにより、規定使用回数Ｎｔｈを所望の回数に設定することができる。携帯情報端末１０は、ユーザＰにより設定された新たな規定使用回数Ｎｔｈを制御部１５１に無線送信する。制御部１５１は、記憶部１５２に記憶されている規定使用回数Ｎｔｈを携帯情報端末１０から供給された新たな規定使用回数Ｎｔｈに更新する。これにより、ユーザＰは規定使用回数Ｎｔｈ、すなわち清掃催促メッセージを表示画面１００に表示させるまでの便座装置３の使用回数を、便座装置３の掃除頻度に応じて任意に設定することができる。
【００３６】
以下に、本実施形態における制御部１５１の動作の流れについて、説明する。図８は、本実施形態における制御部１５１の動作の流れを示すフローチャート図である。
制御部１５１は、ユーザＰが便座装置３を使用したか否かを判定する（ステップＳ１０１）。例えば、制御装置１５は、便器洗浄の実行、着座検知信号の取得及び臀部洗浄の実行の少なくとも１つの処理が実行された場合に、ユーザＰが便座装置３を使用したと判定する。制御部１５１は、ユーザＰが便座装置３を使用したと判定した場合に、カウント値Ｎをインクリメントする（ステップＳ１０２）。
【００３７】
制御部１５１は、カウントＮが記憶部１５２に記憶されている規定使用回数Ｎｔｈに達したか否かを判定する（ステップＳ１０３）。制御部１５１は、カウントＮが記憶部１５２に記憶されている規定使用回数Ｎｔｈに達した場合には、カウント値Ｎが規定使用回数Ｎｔｈに達したことを示す情報（以下、「清掃催促情報」）を携帯情報端末１０に無線送信する（ステップＳ１０４）。
【００３８】
制御部１５１は、ユーザＰが便座装置３を使用していないと判定した場合には、ユーザＰが便座装置３を掃除したか否かを判定する（ステップＳ１０５）。例えば、制御部１５１は、掃除動作を実行した場合に、ユーザＰが便座装置３を掃除したと判定する。制御部１５１は、ユーザＰが便座装置３を掃除したと判定した場合には、カウント値Ｎを０にリセットする（ステップＳ１０６）。
【００３９】
以下に、本実施形態における携帯情報端末１０の動作の流れについて、説明する。図９は、本実施形態における携帯情報端末１０の動作の流れを示すフローチャート図である。
携帯情報端末１０は、制御部１５１から清掃催促情報を取得したか否かを判定する（ステップＳ２０１）。携帯情報端末１０は、制御部１５１から清掃催促情報を取得した場合、清掃催促メッセージを表示画面１００に表示する（ステップＳ２０２）。
携帯情報端末１０は、制御部１５１から清掃催促情報を取得しない場合、掃除動作を実行したことを示す情報（以下、「掃除実行情報」という。）を取得したか否かを判定する（ステップＳ２０３）。携帯情報端末１０は、掃除実行情報を取得した場合、その掃除実行情報を取得した日に予め設定された画像をカレンダー表示する（ステップＳ２０４）。
【００４０】
上述したように、本実施形態におけるトイレシステム１は、トイレ装置２と携帯情報端末１０とが無線接続されるトイレシステムであって、トイレ装置２は、自装置の清掃が必要であることをユーザＰに通知する条件が成立したか否かを判定し、その条件が成立した場合には、携帯情報端末１０に通知する。これにより、携帯情報端末１０を所有するユーザＰにトイレ装置２を掃除するタイミングを知らせることができる。
具体的には、トイレ装置２は、自装置が使用された回数が規定使用回数に達した場合に、上記条件が成立したと判定する。トイレ装置２が使用された回数とは、便器洗浄が実行された回数、前記トイレ装置２に着座された回数、及び臀部洗浄が実行された回数の少なくともいずれか１つである。そして、トイレ装置２は、掃除動作を実行した場合に、自装置が使用された回数を０にリセットする。そのため、ユーザＰによるカウント値Ｎのリセット操作が不要である。
【００４１】
また、上述の実施形態において、携帯情報端末１０は、トイレ装置２から掃除実行情報を取得した場合、予め設定された画像をその掃除実行情報を取得した日に対応させて、カレンダー表示する。これにより、ユーザＰは、携帯情報端末１０の表示画面１００において、過去にトイレ装置２を掃除した日を確認することができるため、普段のトイレ装置２の掃除頻度や次回のトイレ装置２の清掃時期の目安を把握できる。
【００４２】
また、上述の実施形態において、制御部１５１は、便器本体４内の溜め水の水位を下げる動作が実行された場合にカウンタ１５３のカウント値Ｎを０にリセットしてもよい。
【００４３】
上述した実施形態における便座装置３をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００４４】
以上、この発明の実施形態について図面を参照して詳述してきたが、具体的な構成はこの実施形態に限られるものではなく、この発明の要旨を逸脱しない範囲の設計等も含まれる。
【００４５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００４６】
１  トイレシステム
２  トイレ装置
３  便座装置
８  リモコン
１０  携帯情報端末
１５  制御装置
１５１  制御部
１５２  記憶部
１５３  カウンタ
【図１】
2017089206.tif 000003
【図２】
2017089206.tif 000004
【図３】
2017089206.tif 000005
【図４】
2017089206.tif 000006
【図５】
2017089206.tif 000007
【図６】
2017089206.tif 000008
【図７】
2017089206.tif 000009
【図８】
2017089206.tif 000010
【図９】
2017089206.tif 000011